(57)【特許請求の範囲】
【請求項１】
電源部から各ユニットに電力供給を行い、所定の待機時に前記電源部から所定の前記ユニットへの電力供給を停止させるとともに、所定の開始信号により前記停止させていた電力供給を再開して前記ユニットの動作を復帰させる省エネ制御を行うファクシミリ装置において、
前記電力供給の開始時に供給電力を所定量消費させる電力ダミー手段と、
電力供給を開始させるタイマー手段と、
前記電力ダミー手段に対して制御信号を送出する省エネ制御部とを備え、
前記所定の開始信号により前記省エネ制御部が前記制御信号を送出して前記電力ダミー手段の作動を開始させ、その作動開始と共に前記タイマー手段が作動を開始し、該タイマー手段は前記制御信号の送出開始から、前記電源部から前記ユニットへの電力供給を開始させるまでの所定のタイムラグを形成させ、その所定のタイムラグが経過するまでは前記電力ダミー手段が前記電源部からの供給電力の一部を消費し、その所定のタイムラグが経過すると、前記電源部からの供給電力の一部が前記電力ダミー手段により消費されつつ前記電源部から前記ユニットへの電力供給が開始されるようにしたことを特徴とするファクシミリ装置。
【発明の詳細な説明】
【０００１】
【発明の属する技術分野】
本発明は、ファクシミリ装置に関し、詳細には、所定の待機時に電力供給を停止して省エネルギーを図るとともに、電力開始時に安定して電力供給を行うファクシミリ装置に関する。
【０００２】
【従来の技術】
近時、省エネ（省エネルギー）化が要望されており、ファクシミリ装置においても、電池駆動されることが多く、また、電池駆動のファクシミリ装置に限らず、いかに低消費電力、省エネルギーを図るかが重要な課題となっている。
【０００３】
このような省エネルギーを図ったファクシミリ装置としては、例えば、本出願人が先に出願したファクシミリ制御方式がある（特開昭５７−１６８５７３号公報参照）。このファクシミリ制御方式は、主電源部と副電源部、および送信または受信動作中に主電源部からその電源を供給される第１のＣＰＵと、動作中には常時副電源部からその電源を供給される第２のＣＰＵとを備え、待機中には前記第２のＣＰＵによってシステムの状態監視を行い、送信または受信スタートの命令信号あるいは電話呼出信号により前記第２のＣＰＵが前記主電源部の投入動作を行うとともに、主電源投入後は前記第２のＣＰＵを前記第１のＣＰＵに隷属させ、送信または受信動作終了後は前記第１のＣＰＵの命令によって前記第２のＣＰＵが主電源を遮断するとともに、再びシステムの状態監視を行うことを特徴としている。
【０００４】
したがって、このファクシミリ制御方式によれば、待機中は、副電源により第２のＣＰＵに電源を供給して、システムの状態監視を行い、送・受信の命令信号や電話呼出信号をトリガとして、主電源により第１のＣＰＵに電源を供給して送受信動作を行うことができ、待機中の消費電力を削減することができる。
【０００５】
【発明が解決しようとする課題】
しかしながら、このような従来のファクシミリ制御方式にあっては、送・受信の命令信号等のトリガにより、主電源を投入して待機状態から動作状態に移行するようになっていたため、ファクシミリ装置の動作が不安定になるという懸念があった。すなわち、送・受信の命令信号等のトリガにより主電源を投入して、待機状態から瞬時に動作状態に移行、言い換えると、軽負荷状態から急激に重負荷状態に電力供給状態が移行するため、ファクシミリ装置の動作状態の移行速度に電源部の出力電圧の過渡応答速度が追いつかず、電源部の出力電圧が一瞬低下する現象が発生し、ファクシミリ装置のリセット回路が自動動作して、ファクシミリ装置の動作が不安定になるという懸念があった。
【０００７】
そこで、本発明は、電力供給開始時に電力ダミー手段により電力消費を所定時間行わせた後、速やかに電力供給を開始させることにより、電力供給開始時に電源部のアイドリングを適切に行い、電力供給開始時に安定して動作させることのできるファクシミリ装置を提供することを目的としている。
【０００９】
【課題を解決するための手段】
請求項１記載の発明のファクシミリ装置は、電源部から各ユニットに電力供給を行い、所定の待機時に前記電源部から所定の前記ユニットへの電力供給を停止させるとともに、所定の開始信号により前記停止させていた電力供給を再開して前記ユニットの動作を復帰させる省エネ制御を行うファクシミリ装置において、前記電力供給の開始時に供給電力を所定量消費させる電力ダミー手段と、電力供給を開始させるタイマー手段と、前記電力ダミー手段に対して制御信号を送出する省エネ制御部とを備え、前記所定の開始信号により前記省エネ制御部が前記制御信号を送出して前記電力ダミー手段の作動を開始させ、その作動開始と共に前記タイマー手段が作動を開始し、該タイマー手段は前記制御信号の送出開始から、前記電源部から前記ユニットへの電力供給を開始させるまでの所定のタイムラグを形成させ、その所定のタイムラグが経過するまでは前記電力ダミー手段が前記電源部からの供給電力の一部を消費し、その所定のタイムラグが経過すると、前記電源部からの供給電力の一部が前記電力ダミー手段により消費されつつ前記電源部から前記ユニットへの電力供給が開始されるようにしたことにより、上記目的を達成している。
【００１０】
上記構成によれば、電力供給開始時に電力ダミー手段により電力消費を所定時間行わせた後、速やかに電力供給を開始させるので、電力供給開始時に電源部のアイドリングを適切に行なわせることができ、電力供給開始時に安定して動作させることができる。
【００１５】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１６】
図１〜図３は、本発明のファクシミリ装置の第１の実施の形態を示す図であり、本実施の形態は、電源供給開始時に、供給電力を徐々に増加させるものである。
【００１７】
図１は、本発明のファクシミリ装置の第１の実施の形態を適用したファクシミリ装置１の要部回路ブロック図である。
【００１８】
図１において、ファクシミリ装置１は、電源部２、電源切換部３、モータ及び電装系ドライバ部４、電装部５、操作部６、表示部７、省エネ制御部８、主制御部９、通信制御部１０及びモデム１１等を備えている。操作部６は、省エネ操作部６ａを備え、表示部７は、省エネ表示部７ａを備えている。
【００１９】
電源部２は、電源コード１２を介して外部商用電源のコンセントに接続され、商用電源から入力されるＡＣ電源を整流や電圧調整を行って、パワー電源と＋５ＶＥ等のシステム電源を生成する。すなわち、電源部２は、シリーズレギュレータを利用している場合には、直列トランジスタにより不要な電力を消費して出力電圧を安定化し、スイッチングレギュレータを利用している場合には、パルス幅変調により不要な電力を制御して出力電圧を安定化している。電源部２は、生成したパワー電源を、電源切換部３を介して、モータ及び電装系ドライバ部４に供給するとともに、システム電源を、電源切換部３を介して電装部５、操作部６、表示部７、主制御部９及びモデム１１に供給する。また、電源部２は、省エネ制御部８、通信制御部１０、省エネ操作部６ａ及び省エネ表示部７ａに、常時、システム電源を供給し、省エネ状態においても、省エネ制御部８、通信制御部１０、省エネ操作部６ａ及び省エネ表示部７ａの動作が可能としている。
【００２０】
電源切換部３は、トランジスタやＭＯＳ  ＦＥＴ等で構成され、省エネ制御部８からの電源制御信号に基づいて、ドライバ部４へのパワー電源の供給／停止制御と、電装部５、操作部６、表示部７、主制御部９及びモデム１１へのシステム電源の供給／停止制御と、の２系統の供給／停止制御を行う。
【００２１】
モータ及び電装系ドライバ部４は、ファクシミリ装置１の備えている給紙モータ等の各種モータや電装系のドライバを総称したものであり、電装部５は、ファクシミリ装置１の備えている各種電装部を総称したものである。
【００２２】
操作部６は、テンキーやスタートキー等の各種操作キーを備え、送信操作等の各種命令が入力される。省エネ操作部６ａは、省エネ状態を解除するための操作部であり、スタート・ストップキー、省エネキー、原稿セット及びオフフックダイヤルキー等が設けられており、キー操作されると、立ち上がりトリガ信号を省エネ表示部７ａ及び省エネ制御部８に出力する。
【００２３】
表示部７は、例えば、液晶ディスプレイ等で構成され、操作部６から入力された命令内容やファクシミリ装置１からオペレータに通知する各種情報が表示される。省エネ表示部７ａは、ＬＥＤ（Ｌｉｇｈｔ  Ｅｍｉｔｔｉｎｇ  Ｄｉｏｄｅ）あるいは液晶ディスプレイ等で構成され、省エネ操作部６ａから立ち上がりトリガ信号が入力される。省エネ表示部７ａは、立ち上がりトリガ信号に基づいて、省エネ中である旨を表示する。
【００２４】
主制御部９は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ  ）およびＲＡＭ（Ｒａｎｄｏｍ  Ａｃｃｅｓｓ  Ｍｅｍｏｒｙ  ）等を備えており、ＲＯＭ内にはファクシミリ装置１としての基本プログラムや省エネ制御処理プログラム等が格納されている。主制御部９は、ＲＯＭ内のプログラムに従ってＲＡＭをワークメモリとして利用しつつファクシミリ装置１の各部を制御し、ファクシミリ装置１としてのシーケンスを実行するとともに、省エネ制御処理を実行する。主制御部９は、ファクシミリ装置１が受信待機や送信待機等の待機状態に入って所定時間経過すると、省エネ制御部８に省エネ制御信号を出力し、省エネ８制御部８に省エネ制御を行わせる。
【００２５】
モデム１１は、通信制御部１０に接続されており、主制御部９の制御下で動作して、送信信号の変調及び受信信号の復調を行う。
【００２６】
通信制御部１０には、回線Ｌ、例えば、公衆電話回線が接続されており、通信制御部１０は、相手ファクシミリ装置との間でファクシミリ制御信号を交換して、ファクシミリ通信手順を実行する。また、通信制御部１０は、回線Ｌから着信があると、立ち上がりトリガ信号を省エネ制御部８に出力する。
【００２７】
省エネ制御部８は、主制御部９から省エネ制御信号が入力されると、電源切換部３にロー（例えば、０Ｖ）の電源制御信号を出力し、電源切換部３に各部の電源の供給を停止させる。また、省エネ制御部８は、省エネ操作部６ａから立ち上がりトリガ信号が入力されるか、通信制御部１０から立ち上がりトリガ信号が入力されると、省エネ解除要因信号を主制御部９に出力し、省エネ状態を解除させるとともに、電源切換部３にハイ（例えば、＋５Ｖ）の電源制御信号を出力し、電源切換部３にファクシミリ装置１の各部へ電源の供給を開始させる。
【００２８】
上記電源切換部３は、システム電源については、例えば、図２に示すように回路構成されており、トランジスタＴｒ１、コンデンサＣ１、抵抗Ｒ１、Ｒ２及びダイオードＤ１を備えている。トランジスタＴｒ１は、そのコレクタに電源部２から、例えば、＋５ＶＥのシステム電源が供給されており、オンのとき、エミッタから、例えば、＋５Ｖのシステム電源を出力する。トランジスタＴｒ１は、そのベースに上記コンデンサＣ１が接続されているとともに、直列接続された抵抗Ｒ２とダイオードＤ１に対して並列に抵抗Ｒ１が接続されている。そして、トランジスタＴｒ１には、抵抗Ｒ１を介して電源制御信号が省エネ制御部８から入力される。
【００２９】
次に、本実施の形態の動作を説明する。ファクシミリ装置１は、通常の動作時、省エネ制御部８がハイの制御信号を電源切換部３に出力して、電源切換部３がファクシミリ装置１の各部にシステム電源及びパワー電源を供給し、主制御部９の制御下で、通信制御部１０を介して相手ファクシミリ装置とファクシミリ制御信号を交換して、ファクシミリ通信を行う。そして、待機状態になると、ファクシミリ装置１は、主制御部９が省エネ制御信号を省エネ制御部８に出力し、省エネ制御部８が電源制御信号をハイからローに切り換えて、電源切換部３がファクシミリ装置１の各部への電源供給を停止する。この状態で、省エネ操作部６ａで省エネ解除操作が行われると、省エネ操作部６ａは、立ち上がりトリガ信号を省エネ制御部８に出力し、また、回線Ｌから着信があると、通信制御部１０は、立ち上がりトリガ信号を省エネ制御部８に出力する。
【００３０】
省エネ制御部８は、省エネ操作部６ａあるいは通信制御部１０から立ち上がりトリガ信号が入力されると、主制御部９に省エネ解除要因信号を出力するとともに、電源切換部３に出力している電源制御信号をローからハイに切り換え、電源切換部３は、電源制御信号がローからハイに切り換えられると、電源の供給を停止していたドライバ部４、電装部５、操作部６、表示部７、主制御部９及びモデム１１への電源の供給を開始する。
【００３１】
すなわち、電源切換部３は、図２に示したように、ローの電源制御信号が入力されているときには、トランジスタＴｒ１がオフとなって、システム電源（＋５Ｖ）の供給を停止している。
【００３２】
この状態で、図３に示すように、ロー（０Ｖ）であった電源制御信号がハイ（＋５Ｖ）に切り換わると、電源切換部３は、ハイの電源制御信号により、図２に▲１▼の矢印線で示すように、コンデンサＣ１が抵抗Ｒ１を介して所定の高電圧に充電され、図２のＡ点の電位は、徐々に上昇する。Ａ点の電位が上昇するのに伴って、トランジスタＴｒ１が徐々にオンされ、トランジスタＴｒ１に電源部２から入力されているシステム電源（＋５ＶＥ）が、トランジスタＴｒ１のオン状態に応じて、図３に示すように、上昇時間ｔ１をかけて徐々にシステム電源として供給される。すなわち、トランジスタＴｒ１から出力されてファクシミリ装置１の各部に供給されるシステム電源は、上昇時間ｔ１をかけて、０Ｖから＋５Ｖに上昇する。この上昇時間ｔ１は、トランジスタＴｒ１のベースに接続されたコンデンサＣ１と抵抗Ｒ１の積（時定数）で決定される。したがって、コンデンサＣ１と抵抗Ｒ１は、供給電力を徐々に増加させる緩増手段として機能している。
【００３３】
そして、主制御部９は、上記省エネ制御部８から省エネ解除要因信号が入力されると、その後に操作部６で入力されるキー操作の内容に応じた処理動作や通信制御部１０による受信動作の実行制御を行う。
【００３４】
一連の実行動作が完了して、再び待機状態に入り、所定時間経過すると、主制御部９は、省エネ制御信号を省エネ制御部８に出力し、省エネ制御部８は、電源切換部３にローの電源制御信号を出力する。
【００３５】
電源切換部３は、図３に示すように、電源制御信号がハイからローに切り換わると、コンデンサＣ１に充電されていた電荷が、図２に▲２▼の矢印線で示すように、抵抗Ｒ２及びダイオードＤ１を介して瞬時に放電され、図２のＡ点の電位が、瞬時に下降して、トランジスタＴｒ１が瞬時にオフする。したがって、トランジスタＴｒ１から出力される＋５Ｖのシステム電源は、図３に示すように、急速に０Ｖに低下して、ファクシミリ装置１の各部へのシステム電源の供給が停止される。この場合、抵抗Ｒ２の抵抗値が小さいほど、コンデンサＣ１の電荷の放電時間を短くすることができるので、抵抗Ｒ２の抵抗値は、可能な限り小さくする。
【００３６】
このように本実施の形態によれば、電源制御信号がローからハイに切り換わると、電源切換部３の出力するシステム電源が所定の上昇時間ｔ１をかけて徐々に上昇するため、電源供給時に、電源部２から電源切換部３を介してファクシミリ装置１の各部に供給する電源電圧の過渡応答特性を良好なものとすることができ、ファクシミリ装置１が暴走してリセット回路が作動することを防止し、ファクシミリ装置１を安定して動作させることができる。
【００３７】
なお、本実施の形態においては、電源切換部３の電源供給開始時に、コンデンサＣ１と抵抗Ｒ１の時定数でトランジスタＴｒ１のオン時間を調整し、電源供給停止時に、抵抗Ｒ２とダイオードＤ１によりコンデンサＣ１の電荷を放電して、瞬時に電源の供給を停止するようにしているが、抵抗Ｒ２とダイオードＤ１を省略してもよい。
【００３８】
また、上記実施の形態において、電源切換部３は、図２に示したものに限るものではなく、例えば、図４に示すように、そのエミッタに電源部２から＋５ＶＥのシステム電源が供給され、そのコレクタから＋５Ｖのシステム電源をファクシミリ装置１の各部に供給するトランジスタＴｒ２を、電源制御信号によりオン／オフされるトランジスタＴｒ３によりオン／オフするものであってもよい。
【００３９】
すなわち、この場合の電源切換部３は、トランジスタＴｒ３のベースに、図２の場合と同様に、コンデンサＣ２、抵抗Ｒ３、抵抗Ｒ４及びダイオードＤ２が接続され、トランジスタＴｒ３のコレクタが抵抗Ｒ５を介してトランジスタＴｒ２のベースに接続されている。そして、トランジスタＴｒ２のエミッタとベース間に抵抗Ｒ６が接続されている。
【００４０】
この電源切換部３では、図２の場合と同様に、電源制御信号がローからハイに切り換わると、上昇時間ｔ１をもってトランジスタＴｒ３が徐々にオンし、トランジスタＴｒ３が徐々にオンすることにより、トランジスタＴｒ２が徐々にオンして、図３に示したように、システム電源が徐々に上昇する。また、電源制御信号がハイからローに切り換わると、トランジスタＴｒ３が瞬時にオフして、トランジスタＴｒ３のオフに伴って、トランジスタＴｒ２が瞬時にオフする。上記コンデンサＣ２及び抵抗Ｒ３は、緩増手段として機能している。この電源切換部３を用いると、出力電流を多くすることができ、出力電流を多く必要とする場合に、好適である。
【００４１】
さらに、図４と同様に、図５に示すように、そのエミッタに電源部２から＋５ＶＥのシステム電源が供給され、そのコレクタから＋５Ｖのシステム電源をファクシミリ装置１の各部に供給するトランジスタＴｒ１１を、電源制御信号によりオン／オフされるトランジスタＴｒ１２によりオン／オフするものであってもよい。
【００４２】
すなわち、この場合の電源切換部３は、トランジスタＴｒ１１のベース−エミッタ間に、抵抗Ｒ１１と、直列接続されるとともに抵抗Ｒ１１に並列接続された抵抗Ｒ１２及びダイオードＤ１１と、が接続され、抵抗Ｒ１２とダイオードＤ１１の間には、接地されたコンデンサＣ１１が接続されている。また、トランジスタＴｒ１１のベースは、抵抗Ｒ１３を介してトランジスタＴｒ１２のコレクタに接続され、トランジスタＴｒ１２のエミッタは、接地されている。トランジスタＴｒ１２のベースには、抵抗Ｒ１４が接続され、抵抗Ｒ１４を介してトランジスタＴｒ１２のベースに電源制御信号が入力される。
【００４３】
この電源切換部３では、待機状態、すなわち、電源制御信号がローの状態においては、トランジスタＴｒ１２がオフしており、図５のＡ点が、システム電源（＋５ＶＥ）に吊られてハイの状態となって、トランジスタＴｒ１１はオフとなっている。このとき、コンデンサＣ１１は、図５に▲１▼の矢印線で示すように、抵抗Ｒ１２を介してハイに充電されている。
【００４４】
この状態で、電源制御信号がローからハイに切り換わると、ハイの電源制御信号がトランジスタＴｒ１２のベースに入力されて、トランジスタＴｒ１２がオンし、図５に▲２▼の矢印線で示すように、コンデンサＣ１１は、ダイオードＤ１１、抵抗Ｒ１３及びトランジスタＴｒ１２を介して限りなくローに放電する。コンデンサＣ１１が放電することにより、Ａ点の電圧が徐々に下降し、トランジスタＴｒ１１は、Ａ点の電圧の下降に従って徐々にオンして、最終的にシステム電源（＋５ＶＥ）を徐々にシステム電源５Ｖとして供給する。このコンデンサＣ１１の放電によるＡ点の電圧下降時間、すなわち、トランジスタＴｒ１１のオンによりトランジスタＴｒ１１から供給されるシステム電源の上昇時間ｔ１は、図６に示すように、コンデンサＣ１１の容量と抵抗Ｒ１３の抵抗値の積（時定数：ｔ１＝Ｃ１１×Ｒ１３）に準じて決定されるが、コンデンサＣ１１の放電は、上記コンデンサＣ１１の充電とは異なり、抵抗Ｒ１３に対して放電され、コンデンサＣ１１の放電を徐々に行わせるとともに、コンデンサＣ１１の充電を瞬時に行わせるために、抵抗Ｒ１３は、抵抗Ｒ１２に比較してできるだけ抵抗値が大きく（Ｒ１３＞＞Ｒ１２）設定されている。したがって、上記コンデンサＣ１１及び抵抗Ｒ１３は、緩増手段として機能している。
【００４５】
その後、再度、待機状態となって、電源制御信号がローになると、トランジスタＴｒ１２がオフし、トランジスタＴｒ１２がオフすると、コンデンサＣ１１が抵抗Ｒ１２を介して充電され、Ａ点の電圧は、瞬時にハイに上昇する。Ａ点の電圧が瞬時にハイに上昇することにより、トランジスタＴｒ１１は、瞬時にオフし、＋５Ｖのシステム電源の供給を停止する。
【００４６】
この電源切換部３を用いると、出力電流を多くすることができ、出力電流を多く必要とする場合に、好適である。
【００４７】
図７及び図８は、本発明のファクシミリ装置の第２の実施の形態を示す図であり、本実施の形態は、電源供給開始時に、所定のタイムラグ（遅延時間）の間に電源部にアイドリングをさせた後、速やかにシステム電源を供給するもので、請求項１に対応するものである。
【００４８】
なお、本実施の形態は、上記第１の実施の形態のファクシミリ装置と同様のファクシミリ装置に適用したものであり、その電源切換部の構成が異なるのみである。そこで、本実施の形態の説明においては、上記図１で用いた符号をそのまま用いて、以下、説明する。
【００４９】
図７において、電源切換部３は、トランジスタＴｒ４、タイマー回路（タイマー手段）２０、トランジスタＴｒ５及び抵抗Ｒ７、Ｒ８、Ｒ９を備えており、タイマー回路２０は、抵抗Ｒ１０、ダイオードＤ３、コンデンサＣ３及び増幅回路ＩＣ１を備えている。
【００５０】
電源切換部３は、電源部２からの＋５ＶＥのシステム電源がトランジスタＴｒ４のコレクタに供給されるとともに、抵抗Ｒ８を介してタイマー回路２０及びトランジスタＴｒ５のコレクタに供給され、トランジスタＴｒ４のベースに、抵抗Ｒ７を介してタイマー回路２０の出力が接続されている。トランジスタＴｒ４のエミッタからシステム電源がファクシミリ装置１の各部に供給され、トランジスタＴｒ５のベースに、抵抗Ｒ９を介して省エネ制御部８から電源制御信号が入力される。
【００５１】
タイマー回路２０は、抵抗Ｒ１０とダイオードＤ３が並列接続され、この並列接続された抵抗Ｒ１０とダイオードＤ３に接地されたコンデンサＣ３と所定のスレッショルド電圧を有するとともに所定のヒステリシス特性を有した増幅回路ＩＣ１に接続されている。
【００５２】
電源切換部３は、電源制御信号がローのときには、トランジスタＴｒ５がオフしており、タイマー回路２０のコンデンサＣ３は、抵抗Ｒ８、抵抗Ｒ１０及びダイオードＤ３を介して電源部２から供給される＋５ＶＥのシステム電源により高電位に充電されており、この状態で待機状態が解除され、図８に示すように、省エネ制御部８からの電源制御信号がローからハイに切り換わると、トランジスタＴｒ５がオンする。トランジスタＴｒ５がオンすると、図７に▲１▼の矢印線で示すように、抵抗Ｒ８及びトランジスタＴｒ５を通って、電流が流れ、電源部２から供給される＋５ＶＥのシステム電源の一部が消費される。したがって、抵抗Ｒ８及びトランジスタＴｒ５は、電力ダミー手段として機能している。
【００５３】
このとき、タイマー回路２０のコンデンサＣ３に充電されていた電荷が、図７に▲２▼の矢印線で示すように、抵抗Ｒ１０及びトランジスタＴｒ５を介して放電され、図７のＡ点の電位が徐々に下降する。このＡ点の電位が、徐々に下降して、ヒステリシス特性を備えた増幅回路ＩＣ１のローのスレッショルド電圧に達すると、図７のＢ点の電位が瞬時にハイになり、トランジスタＴｒ７がオンして、図８に示すように、電源制御信号がハイになってからタイムラグｔ２をおいてトランジスタＴｒ７のエミッタから出力されるシステム電源が＋５Ｖに速やかに上昇する。このタイムラグｔ２は、コンデンサＣ３、抵抗Ｒ１０及び増幅回路ＩＣ１の特性、特に、コンデンサＣ３と抵抗Ｒ１０の時定数（ｔ２＝Ｃ３×Ｒ１０）で決定される。そして、このタイムラグｔ２の時間の間に電源部２から供給される＋５ＶＥのシステム電源を消費させて、電源部２をアイドリングさせ、タイムラグｔ２が経過すると、トランジスタＴｒ４をオンして、出力するシステム電源を０Ｖから＋５Ｖに瞬時に上昇させている。
【００５４】
その後、ファクシミリ装置１が待機状態になって、省エネ制御部８からの電源制御信号が、図８に示すように、ハイからローに切り換わると、トランジスタＴｒ５が瞬時にオフとなり、トランジスタＴｒ５がオフになると、タイマー回路２０のコンデンサＣ３が、図７に▲３▼の矢印線で示すように、抵抗Ｒ８及びダイオードＤ３を介して電源部２からの＋５ＶＥのシステム電源により充電され、図７のＡ点の電位が一気に上昇する。したがって、トランジスタＴｒ４が瞬時にオフして、トランジスタＴｒ４から供給されていた＋５Ｖのシステム電源は、図８に示すように、０Ｖとなって、ファクシミリ装置１の各部に供給されていたシステム電源の供給が停止される。
【００５５】
このように、本実施の形態によれば、電力供給開始時に電力ダミー手段である抵抗Ｒ８とトランジスタＴｒ５により電力消費を所定時間行わせた後、速やかに電力供給を開始させるので、電力供給開始時に電源部２のアイドリングを適切に行うことができ、電力供給開始時にファクシミリ装置１を安定して動作させることができる。
【００５６】
なお、本実施の形態においては、電源切換部３の電源供給開始時に、コンデンサＣ３と抵抗Ｒ１０の時定数によりタイムラグｔ２の時間を調整し、電源供給停止時に、抵抗Ｒ１０とトランジスタＴｒ５によりコンデンサＣ３の電荷を放電して、瞬時に電源の供給を停止し、さらに、電源供給停止時に抵抗Ｒ８及びダイオードＤ３を介してコンデンサＣ３を充電しているが、ダイオードＤ３を省略してもよい。
【００５７】
また、電源切換部３は、タイマー回路２０を、図９に示すように、並列接続された抵抗Ｒ１０とダイオードＤ３、この並列接続された抵抗Ｒ１０とダイオードＤ３に接続されるとともに接地されたコンデンサＣ３、並列接続された抵抗Ｒ１０とダイオードＤ３に接続され所定のスレッショルド電圧を有するとともに所定のヒステリシス特性を有した増幅回路ＩＣ１及び増幅回路ＩＣ１に接続され増幅回路ＩＣ１と同様の特性を有する増幅回路ＩＣ２を備えたタイマー回路２１とし、トランジスタＴｒ５を、そのエミッタにシステム電源（＋５ＶＥ）が入力され、そのコレクタからシステム電源をファクシミリ装置１の各部に供給するトランジスタＴｒ２１として、トランジスタＴｒ２１のエミッタとベース間に抵抗Ｒ２１を接続した構成としてもよい。
【００５８】
この電源切換部３においては、電源制御信号がローの待機状態においては、コンデンサＣ３は、電源部２から供給されるシステム電源（＋５ＶＥ）に吊られてハイに充電されている。この状態で、電源制御信号がハイに切り換わると、トランジスタＴｒ５がオンして、図９に▲１▼の矢印線で示すように、抵抗Ｒ８及びトランジスタＴｒ５を通って、電流が流れ、電源部２から供給される＋５ＶＥのシステム電源の一部が消費される。したがって、抵抗８及びトランジスタＴｒ５は、電力ダミー手段として機能している。
【００５９】
このとき、タイマー回路２１のコンデンサＣ３に充電されていた電荷が、図９に▲２▼の矢印線で示すように、抵抗Ｒ１０及びトランジスタＴｒ５を介して放電され、図９のＡ点の電位が徐々に下降する。このＡ点の電位が、徐々に下降して、ヒステリシス特性を備えた増幅回路ＩＣ１のローのスレッショルド電圧に達すると、同一の増幅回路ＩＣ２を介して、図９のＢ点の電位が瞬時にローになり、トランジスタＴｒ２１がオンして、図８に示したように、電源制御信号がハイになってからタイムラグｔ２をおいてトランジスタＴｒ２１のコレクタから出力されるシステム電源が＋５Ｖに速やかに上昇する。このタイムラグｔ２は、コンデンサＣ３、抵抗Ｒ１０、増幅回路ＩＣ１及び増幅回路ＩＣ２の特性、特に、コンデンサＣ３と抵抗Ｒ１０の時定数（ｔ２＝Ｃ３×Ｒ１０）で決定される。そして、このタイムラグｔ２の時間の間に電源部２から供給される＋５ＶＥのシステム電源を消費させて、電源部２をアイドリングさせ、タイムラグｔ２が経過すると、トランジスタＴｒ２１をオンして、出力するシステム電源を０Ｖから＋５Ｖに瞬時に上昇させている。
【００６０】
その後、ファクシミリ装置１が待機状態になって、省エネ制御部８からの電源制御信号が、図８に示したように、ハイからローに切り換わると、トランジスタＴｒ５が瞬時にオフとなり、トランジスタＴｒ５がオフになると、タイマー回路２１のコンデンサＣ３が、図９に▲３▼の矢印線で示すように、抵抗Ｒ８及びダイオードＤ３を介して電源部２からの＋５ＶＥのシステム電源により充電され、図９のＡ点の電位が一気に上昇する。このＡ点の電位が増幅回路ＩＣ１のハイのスレッショルド電圧に達すると、同一の増幅回路ＩＣ２を介して図９のＢ点の電圧が瞬時にハイとなり、トランジスタＴｒ２１が瞬時にオフして、トランジスタＴｒ２１から供給されていた＋５Ｖのシステム電源は、図８に示したように、０Ｖとなって、ファクシミリ装置１の各部に供給されていたシステム電源の供給が停止される。なお、上記図９の説明において、図７と同様の構成部分には、同一の符号を付している。
【００６１】
このように、電力供給開始時に電力ダミー手段である抵抗Ｒ８とトランジスタＴｒ５により電力消費を、タイマー回路２１で設定されるタイムラグの間、行わせた後、速やかに電力供給を開始させるので、電力供給開始時に電源部２のアイドリングを適切に行うことができ、電力供給開始時にファクシミリ装置１を安定して動作させることができる。
【００６２】
さらに、上記実施の形態において、タイマー回路２０及びタイマー回路２１をハード構成しているが、タイムラグを持たせる方法としては、ハード構成するものに限るものではなく、例えば、電源切換部３を、図１０に示すように、トランジスタＴｒ４、トランジスタＴｒ５及び抵抗Ｒ７、Ｒ８、Ｒ９で構成し、所定のタイムラグｔ２を有する２つの電源制御信号Ｓ１、Ｓ２を、トランジスタＴｒ４とトランジスタＴｒ５に供給するようにしてもよい。すなわち、省エネ制御部８は、立ち上がりトリガ信号が入力されると、まず、電源切換部３のトランジスタＴｒ５に供給している電源制御信号Ｓ１をローからハイに切り換え、所定のタイムラグｔ２をおいた後、電源切換部３のトランジスタＴｒ４に供給している電源制御信号Ｓ２をローからハイに切り換える。このタイムラグｔ２の間に、トランジスタＴｒ５を介して抵抗Ｒ８で電源部２から供給をされている＋５ＶＥのシステム電源を消費して、電源部２をアイドリングさせる。
【００６３】
この場合にも、上記同様の効果を得ることができるが、この場合には、省エネ制御部８がソフト的に所定のタイムラグｔ２を有した２つの電源制御信号Ｓ１、Ｓ２を生成して、電源切換部３に出力する。
【００６４】
また、図１０と同様に、所定のタイムラグｔ２を有する２つの電源制御信号Ｓ１、Ｓ２を使用して、図１１に示すように、＋５Ｖのシステム電源の消費を行ってもよい。
【００６５】
すなわち、図１１に示すように、トランジスタＴｒ５、トランジスタＴｒ２１、トランジスタＴｒ２２、抵抗Ｒ７、抵抗Ｒ８、抵抗Ｒ９及び抵抗Ｒ２２で構成し、所定のタイムラグｔ２を有する２つの電源制御信号Ｓ１、Ｓ２を、トランジスタＴｒ５とトランジスタＴｒ２２に供給するようにしてもよい。すなわち、省エネ制御部８は、立ち上がりトリガ信号が入力されると、まず、電源切換部３のトランジスタＴｒ５に供給している電源制御信号Ｓ１をローからハイに切り換え、所定のタイムラグｔ２をおいた後、電源切換部３の抵抗Ｒ２２を介してトランジスタＴｒ２２に供給している電源制御信号Ｓ２をローからハイに切り換える。このタイムラグｔ２の間に、トランジスタＴｒ５を介して抵抗Ｒ８で電源部２から供給をされている＋５ＶＥのシステム電源を消費して、電源部２をアイドリングさせる。なお、図１１においては、図９と同様の構成部分には、同一の符号を付している。
【００６６】
この場合にも、上記同様の効果を得ることができるが、この場合には、省エネ制御部８がソフト的に所定のタイムラグｔ２を有した２つの電源制御信号Ｓ１、Ｓ２を生成して、電源切換部３に出力する。
【００６７】
図１２及び図１３は、本発明のファクシミリ装置の第３の実施の形態を示す図であり、本実施の形態は、ファクシミリ装置の各部を複数のブロックに分割し、各ブロック毎に電源切換部を備えたものである。
【００６８】
なお、本実施の形態は、上記第１の実施の形態のファクシミリ装置と同様のファクシミリ装置に適用し、電源切換部として上記第２の実施の形態の電源切換部を適用したのもであり、その電源切換部がファクシミリ装置の各ブロック毎に設けられたものである。そこで、本実施の形態の説明においては、上記図１で用いた符号及び図７と図９で用いた符号をそのまま用いて、以下、説明する。
【００６９】
図１２において、ファクシミリ装置３０は、その各部がブロック３１とブロック３２にブロック分けされており、各ブロック３１、３２には、図外の電源部２からそれぞれ電源切換部３Ａ及び電源切換部３Ｂを介して＋５Ｖのシステム電源ＳＶ１及びシステム電源ＳＶ２が供給される。
【００７０】
電源切換部３Ａには、電源部２から＋５ＶＥのシステム電源が供給されるとともに、省エネ制御部８から電源制御信号が入力される。電源切換部３Ａとしては、例えば、上記第２の実施の形態の図５または図９に示した電源切換部３と同様の所定のタイムラグｔ３を有した電源切換部が使用され、電源切換部３Ａは、図１３に示すように、電源制御信号がローからハイに切り換わると、タイムラグｔ３をおいて０Ｖから＋５Ｖに速やかに立ち上がるシステム電源ＳＶ１をブロック３１に出力する。ブロック３１は、電源切換部３Ａから供給されるシステム電源ＳＶ１により動作するとともに、システム電源ＳＶ１を電源切換部３Ｂに電源制御信号として出力する。
【００７１】
電源切換部３Ｂには、電源部２から＋５ＶＥのシステム電源が供給されるとともに、上記ブロック３１からシステム電源ＳＶ１が電源制御信号として入力される。電源切換部３Ｂとしては、例えば、上記第２の実施の形態の図７または図９に示した電源切換部３と同様の所定のタイムラグｔ４を有した電源切換部が使用され、電源切換部３Ｂは、図１３に示すように、電源制御信号として入力されるシステム電源ＳＶ１がローからハイに切り換わると、タイムラグｔ４をおいて０Ｖから＋５Ｖに速やかに立ち上がるシステム電源ＳＶ２をブロック３２に出力する。
【００７２】
ファクシミリ装置１が待機状態となって、図１３に示すように、省エネ制御部８から入力されている電源制御信号がハイからローに切り換わると、上述のように、電源切換部３Ａの出力するシステム電源ＳＶ１が０Ｖに瞬時に低下し、システム電源ＳＶ１が０Ｖに低下すると、電源切換部３Ｂの出力するシステム電源ＳＶ２が０Ｖに瞬時に低下する。
【００７３】
このように、本実施の形態によれば、電源の供給開始時に、ブロック１には、電源切換部３Ａにより所定のタイムラグｔ３おいてシステム電源ＳＶ１を供給し、このシステム電源ＳＶ１が立ち上がった後、所定のタイムラグｔ４をおいてシステム電源ＳＶ２をブロック２に供給する。すなわち、ブロック１及びブロック２へとそれぞれタイムラグｔ３及びタイムラグｔ４をあけてシステム電源ＳＶ１及びシステム電源ＳＶ２を供給する。そして、このタイムラグｔ３及びタイムラグｔ４の間に、第２の実施の形態で説明したように、電源部２をアイドリングさせることができ、＋５Ｖのシステム電源の負荷が重負荷の場合であっても、リセット回路の作動を防止して、ファクシミリ装置１の安定した動作を確保することができるとともに、無駄に電力消費されることを防止することができ、アイドリングのための消費電力を削減することができる。
【００７４】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００７５】
例えば、上記第３の実施の形態においては、電源切換部３Ａ、３Ｂとして、電力供給までに所定のタイムラグをあける第２の実施の形態の電源切換部を適用しているが、電源切換部としては、これに限るものではなく、電力の供給量を徐々に増加させる第１の実施の形態の電源切換部を適用してもよい。
【００７６】
【発明の効果】
請求項１記載の発明のファクシミリ装置によれば、電力供給開始時に電力ダミー手段により電力消費を所定時間行わせた後、速やかに電力供給を開始させるので、電力供給開始時に電源部のアイドリングを適切に行なわせることができ、電力供給開始時に安定して動作させることができる。
【図面の簡単な説明】
【図１】本発明のファクシミリ装置の第１の実施の形態を適用したファクシミリ装置の回路ブロック図。
【図２】図１の電源切換部の詳細な回路図。
【図３】図２の電源切換部に入力される電源制御信号と電源切換部から出力されるシステム電源のタイミング波形図。
【図４】図１の電源切換部の他の例の詳細な回路図。
【図５】図１の電源切換部のさらに他の例の詳細な回路図。
【図６】図５の電源切換部に入力される電源制御信号と電源切換部から出力されるシステム電源のタイミング波形図。
【図７】本発明のファクシミリ装置の第２の実施の形態を適用したファクシミリ装置の電源切換部の詳細な回路図。
【図８】図７の電源切換部に入力される電源制御信号と電源切換部から出力されるシステム電源のタイミング波形図。
【図９】図７の電源切換部の他の例の詳細な回路図。
【図１０】本発明のファクシミリ装置の第２の実施の形態を適用したファクシミリ装置の電源切換部のさらに他の例の詳細な回路図。
【図１１】図１０の電源切換部の他の例の詳細な回路図。
【図１２】本発明のファクシミリ装置の第３の実施の形態を適用したファクシミリ装置の要部回路ブロック図。
【図１３】図８の電源制御信号とシステム電源のタイミング波形図。
【符号の説明】
１  ファクシミリ装置
２  電源部
３、３Ａ、３Ｂ  電源切換部
４  モータ及び電装系ドライバ部
５  電装部
６  操作部
６ａ  省エネ操作部
７  表示部
７ａ  省エネ表示部
８  省エネ制御部
９  主制御部
１０  通信制御部
１１  モデム
１２  電源コード
２０  タイマー回路
３０  ファクシミリ装置
３１、３２  ブロック
Ｔｒ１〜Ｔｒ５、Ｔｒ１１、Ｔｒ２１、Ｔｒ２２  トランジスタ
Ｃ１、Ｃ２、Ｃ３  コンデンサ
Ｒ１〜Ｒ１０、Ｒ２１、Ｒ２２  抵抗
Ｄ１〜Ｄ３  ダイオード
ＩＣ１、ＩＣ２  増幅回路
【図１】
0003555002.tif 000002
【図２】
0003555002.tif 000003
【図３】
0003555002.tif 000004
【図４】
0003555002.tif 000005
【図５】
0003555002.tif 000006
【図６】
0003555002.tif 000007
【図７】
0003555002.tif 000008
【図８】
0003555002.tif 000009
【図９】
0003555002.tif 000010
【図１０】
0003555002.tif 000011
【図１１】
0003555002.tif 000012
【図１２】
0003555002.tif 000013
【図１３】
0003555002.tif 000014